(57)【要約】      （修正有）【課題】箸およびスプーンまたはフォークの動きを規制することが可能なランチボックスを提供する。【解決手段】ランチボックス１は、上部に開口１０を有する中空の本体２と、本体２の開口１０を閉じる第１蓋３と、第１蓋３の上面３ｂを覆う第２蓋４とを備える。第１蓋３は、上面３ｂに形成され、箸と、スプーンおよびフォークのどちらか１つとをそれぞれあらかじめ設定された載置位置に位置決めすることが可能な位置決め部１１を有する。【選択図】図１
2020054724.tif 000002
【特許請求の範囲】
【請求項１】
上部に開口を有する中空の本体と、
下面および上面を有し、前記下面が前記本体に対向した状態で前記開口を閉じる第１蓋と、
前記第１蓋の前記上面を覆う第２蓋と
を備え、
前記第１蓋は、前記上面に形成され、箸と、スプーンおよびフォークのどちらか１つとをそれぞれ載置するためにあらかじめ設定された載置位置に位置決めすることが可能な位置決め部を有する
ことを特徴とするランチボックス。
【請求項２】
前記第１蓋は、前記本体よりも弾性変形しやすい軟質の材料で製造されている、
請求項１に記載のランチボックス。
【請求項３】
前記第１蓋は、
前記下面の一部を構成し、前記第１蓋が前記開口を閉じた状態で前記本体の開口縁に密着して前記開口を封止する第１密着面と、
前記上面の一部を構成し、前記第２蓋が前記第１蓋の上面の両載置位置を覆った状態で前記第２蓋に密着して前記両載置位置を封止する第２密着面と
をさらに有する、
請求項１または２に記載のランチボックス。
【請求項４】
前記位置決め部は、前記箸と、前記スプーンおよび前記フォークのどちらか１つとをそれぞれ個別に収納することが可能な大きさを有する凹部と、当該凹部に収納された前記箸と、前記スプーンまたは前記フォークとに当接して前記凹部の内部における動きを規制する規制部とを有する、
請求項１〜３のいずれか１項に記載のランチボックス。
【請求項５】
前記位置決め部は、前記凹部に連通するように形成され、指を挿入することが可能な挿入空間をさらに有する、
請求項４に記載のランチボックス。
【請求項６】
前記凹部は、平坦な底面を有し、前記スプーンまたは前記フォークを湾曲部の凸面を上側に向けた状態で収納可能な形状を有する、
請求項４または５に記載のランチボックス。
【請求項７】
前記位置決め部は、前記第１壁の前記上面から突出した複数の立壁を有しており、
前記立壁は、前記箸の両側面と、前記スプーンまたは前記フォークの両側縁とにそれぞれ当接する位置に配置されている、
請求項１〜３のいずれか１項に記載のランチボックス。
【請求項８】
前記本体は、上下方向に重ねることが可能な上側容器と下側容器とを有し、
前記開口は、前記上側容器に形成されている
請求項１〜７のいずれか１項に記載のランチボックス。
【請求項９】
前記本体と前記第１蓋と前記第２蓋とを順に重ねた状態で着脱自在に固定する固定部をさらに備えている、
請求項１〜８のいずれか１項に記載のランチボックス。
【発明の詳細な説明】
【技術分野】
【０００１】
本発明は、箸およびスプーンまたはフォークなどの食事用道具を収納可能なランチボックスに関する。
【背景技術】
【０００２】
従来、ランチボックスの蓋の上面に箸を保持することが可能なランチボックスが種々提案されている。
【０００３】
例えば、特許文献１のランチボックスは、本体と、本体の開口を覆う合成樹脂製の中蓋と、本体及び中蓋の上部を覆う蓋体とを備えている。中蓋の上面には、箸を保持する立壁の形態をした保持片が立設されている。
【先行技術文献】
【特許文献】
【０００４】
【特許文献１】特開平９−１５４６１７号公報
【発明の概要】
【発明が解決しようとする課題】
【０００５】
ランチボックスの分野では、近年、食事の際に箸とともにスプーンまたはフォークなどの食事用道具が併用されることを考慮して、箸とともにスプーンまたはフォークを収納可能なランチボックスが要望されている。
【０００６】
しかし、上記の特許文献１のランチボックスでは、中蓋は、箸を保持する保持片しか備えていないため、スプーンまたはフォークを中蓋の上面で保持することができない。
【０００７】
本発明は、上記の事情に鑑みてなされたものであって、箸およびスプーンまたはフォークの動きを規制することが可能なランチボックスを提供することを目的とする。
【課題を解決するための手段】
【０００８】
上記の課題を解決するために、本発明のランチボックスは、上部に開口を有する中空の本体と、下面および上面を有し、前記下面が前記本体に対向した状態で前記開口を閉じる第１蓋と、前記第１蓋の前記上面を覆う第２蓋とを備え、前記第１蓋は、前記上面に形成され、箸と、スプーンおよびフォークのどちらか１つとをそれぞれ載置するためにあらかじめ設定された載置位置に位置決めすることが可能な位置決め部を有することを特徴とする。
【０００９】
かかる構成では、箸と、スプーンおよびフォークのどちらか１つとを第１蓋の上面の位置決め部によってそれぞれ載置するためにあらかじめ設定された２つの載置位置に位置決めすることが可能である。これにより、第１蓋の上面において箸とスプーンまたはフォークとの動きをそれぞれ規制することが可能である。
【００１０】
前記第１蓋は、前記本体よりも弾性変形しやすい軟質の材料で製造されているのが好ましい。
【００１１】
かかる構成では、箸と、スプーンおよびフォークのどちらか１つとを、軟らかい第１蓋に接触した状態で位置決め部によって載置位置に位置決めすることが可能であり、箸とスプーンまたはフォークとのそれぞれの動きをより確実に規制することが可能である。
【００１２】
前記第１蓋は、前記下面の一部を構成し、前記第１蓋が前記開口を閉じた状態で前記本体の開口縁に密着して前記開口を封止する第１密着面と、前記上面の一部を構成し、前記第２蓋が前記第１蓋の上面の両載置位置を覆った状態で前記第２蓋に密着して前記両載置位置を封止する第２密着面とを有するのが好ましい。
【００１３】
かかる構成では、第１蓋が開口を閉じた状態で第１蓋の下面の一部を構成する第１密着面が本体の開口縁に密着して開口を封止するので、本体に収納された物に含まれる液体が本体外部に漏れることを防止することが可能である。さらに、第２蓋が第１蓋の上面の両載置位置を覆った状態で第１蓋の上面の一部を構成する第２密着面が第２蓋に密着して両載置位置を封止するので、位置決め部に位置決めされた箸およびスプーンまたはフォークなどに付着した液体が第２蓋の外部に漏れることを防止することが可能である。その結果、使用後の箸およびスプーンまたはフォークを収納したランチボックスからの液体の漏れを防止することが可能である。
【００１４】
前記位置決め部は、前記箸と、前記スプーンおよび前記フォークのどちらか１つとをそれぞれ個別に収納することが可能な大きさを有する凹部と、当該凹部に収納された前記箸と、前記スプーンまたは前記フォークとに当接して前記凹部の内部における動きを規制する規制部とを有するのが好ましい。
【００１５】
かかる構成により、箸およびスプーンまたはフォークが位置決め部の凹部に個別に収納された状態では、規制部が箸およびスプーンまたはフォークに当接して凹部の内部における動きを確実に規制することが可能である。
【００１６】
前記位置決め部は、前記凹部に連通するように形成され、指を挿入することが可能な挿入空間をさらに有するのが好ましい。
【００１７】
かかる構成により、凹部に連通するように形成された挿入空間に指を挿入することにより、凹部に収納された箸およびスプーンまたはフォークを凹部から容易に取り出すことが可能である。
【００１８】
前記凹部は、平坦な底面を有し、前記スプーンまたは前記フォークを湾曲部の凸面を上側に向けた状態で収納可能な形状を有するのが好ましい。
【００１９】
かかる構成により、スプーンやフォークを凹部に湾曲部の凸面を上側に向けた状態で収納することが可能であり、スプーンやフォークのぐらつきを小さくすることが可能である。その結果、凹部の内部におけるスプーンやフォークの動きをより確実に規制することが可能である。また、第１壁の下面を平たく形成することが可能であり、第１壁の製造や洗浄が容易である。
【００２０】
前記位置決め部は、前記第１壁の前記上面から突出した複数の立壁を有しており、前記立壁は、前記箸の両側面と、前記スプーンまたは前記フォークの両側縁とにそれぞれ当接する位置に配置されていてもよい。
【００２１】
かかる構成では、複数の立壁が、箸の両側面と、前記スプーンまたは前記フォークの両側縁とにそれぞれ当接することにより、箸とスプーンまたはフォークとの動きをそれぞれ規制することが可能である。また、この構成では、凹部を有する位置決め部の構成に比べて第１壁の上面に立壁を形成するだけでよいので、設計および製造が容易である。
【００２２】
前記本体は、上下方向に重ねることが可能な上側容器と下側容器とを有し、前記開口は、前記上側容器に形成されているのが好ましい。
【００２３】
この構成では、ごはんとおかずなど本体に収容される複数種類の食物を上側容器と下側容器に分けて個別位置決めすることが可能である。
【００２４】
ランチボックスは、前記本体と前記第１蓋と前記第２蓋とを順に重ねた状態で着脱自在に固定する固定部をさらに備えているのが好ましい。
【００２５】
この構成では、固定部によって、本体と第１蓋と第２蓋とを順に重ねた状態で着脱自在に固定することが可能であり、ランチボックスを運搬するときに本体と第１蓋と第２蓋とが互いにずれたり分離したりして本体または位置決め部からの液体の漏れをより確実に防止することが可能である。
【発明の効果】
【００２６】
本発明のランチボックスによれば、箸およびスプーンまたはフォークの動きを規制することができる。
【図面の簡単な説明】
【００２７】
【図１】本発明の実施形態に係るランチボックスの分解斜視図である。
【図２】図１のランチボックスの正面図である。
【図３】図１のランチボックスの右側面図である。
【図４】図２のランチボックスの断面説明図である。
【図５】図１の第１蓋の上面に箸およびスプーンが位置決めされた状態を示す平面説明図である。
【図６】図５の第１蓋のＶＩ−ＶＩ線断面図である。
【図７】図５の第１蓋のＶＩＩ−ＶＩＩ線断面図である。
【図８】図５の第１蓋のＶＩＩＩ−ＶＩＩＩ線断面図である。
【図９】図５の第１蓋のＩＸ−ＩＸ線断面図である。
【図１０】図４のロック機構の拡大断面図である。
【図１１】図１０の止め具の断面図である。
【発明を実施するための形態】
【００２８】
以下、添付図面を参照しながら本発明の好ましい実施の一形態について詳述する。
【００２９】
図１〜４に示されるように、本実施形態のランチボックス１は、食物を収納可能な中空の本体２と、本体２の開口１０を閉じる第１蓋３と、第１蓋３の上側に位置する第２蓋４と、これら本体２、第１蓋３、および第２蓋４を互いに重ねた状態で連結するロック機構８（固定部）とを備える。
【００３０】
ランチボックス１の全体形状は、水平方向に延びる細長い略直方体形状である。この全体形状に対応して、本体２も細長い直方体形状をしており、第１蓋３および第２蓋４も細長い矩形の板状をしている。
【００３１】
本体２は、上部に開口１０を有する中空の容器である。本実施形態の本体２は、具体的には、上下方向に重ねることが可能な下側容器５と、中蓋６と、上側容器７とを有する。前記開口１０は、上側容器７に形成されている。これら下側容器５および上側容器７には、種々の食物を収納することが可能であり、例えば、下側容器５にはごはんが収納され、上側容器７にはおかずが収納されればよい。
【００３２】
本実施形態の本体２では、下側容器５と上側容器７との間に中蓋６が配置されているので、下側容器５のごはんから出る水分によって上側容器７の底面を濡らすことを防止することが可能である。
【００３３】
また、上側容器７に複数種類のおかずが収納される場合には、仕切り板９を用いて上側容器７の内部空間を２つまたはそれ以上の領域に仕切ることが可能である。
【００３４】
第１蓋３は、下面３ａおよび上面３ｂを有し、下面３ａが本体２に対向した状態で本体２の上部の開口１０（具体的には、上側容器７の開口１０）を閉じることが可能な形状、例えば、平板の周囲に下方に延びる周壁３ｃ（図６および図１０参照）が形成された形状の部材である。
【００３５】
一方、第２蓋４は、第１蓋３の上面３ｂを覆うことが可能な形状、例えば、平板の周囲に下方に延びる周壁４ａ（図１０参照）が形成された形状の部材である。
【００３６】
第１蓋３は、本体２よりも弾性変形しやすい軟質の材料で一体成形によって製造されている。例えば、本体２がポリプロピレンなどの硬質の合成樹脂で製造されているのに対し、第１蓋３は、ポリプロピレンなどの硬質の樹脂材料よりも弾性変形しやすいシリコーンゴムなどの軟質の材料で製造されている。
【００３７】
第２蓋４は、第１蓋３よりも硬質の材料、例えば、ポリプロピレンやＡＳ樹脂などの硬質の合成樹脂で製造される。
【００３８】
第１蓋３は、具体的には、図１および図５〜９に示されるように、位置決め部１１と、第１密着面１２と、第２密着面１３とを有する。
【００３９】
位置決め部１１は、第１蓋３の上面３ｂに形成されている。位置決め部１１は、箸５１と、スプーン５２およびフォーク（図示せず）のどちらか１つとをそれぞれ載置するためにあらかじめ設定された２つの載置位置に位置決めすることが可能な構成を有する。
【００４０】
位置決め部１１は、具体的には、箸５１と、スプーン５２およびフォークのどちらか１つとをそれぞれ個別に収納することが可能な大きさを有する凹部１４、１５と、当該凹部１４、１５に収納された箸５１と、スプーン５２またはフォークとに当接して凹部１５の内部における動きを規制する規制部１６、１７とを有する。
【００４１】
具体的には、凹部１４は、第１蓋３の長手方向に沿って箸５１を収納できるように、箸５１の外形形状に対応した細長い略三角形形状を有している。凹部１４の長手方向に沿って延びる対向する両側の側壁にはそれぞれ、凹部１４の内側に突出するように規制部１６が形成されている。規制部１６は、箸５１の持ち手部分および先端部分をそれぞれ箸５１の両側から挟むことが可能な位置に配置されている。
【００４２】
上記凹部１４と同様に、凹部１５は、第１蓋３の長手方向に沿ってスプーン５２を収納できるように、スプーン５２の外形形状に対応した細長く帯状に伸びる部分と楕円形の部分とを組み合わせた形状を有している。凹部１５の長手方向に沿って延びる対向する両側の側壁にはそれぞれ、凹部１５の内側に突出するように規制部１７が形成されている。規制部１７は、スプーン５２の持ち手部分および楕円形のカップ部分をそれぞれスプーン５２の両側から挟むことが可能な位置に配置されている。
【００４３】
なお、凹部１５にスプーン５２の代わりにフォークを収納する場合には、凹部１５をフォークの形状に対応する形状になるように形成すればよい。
【００４４】
本実施形態の凹部１５は、平坦な底面１５ａを有し、スプーン５２またはフォークを湾曲部の凸面を上側に向けた状態で収納可能な形状を有する。
【００４５】
規制部１６、１７は、シリコーンゴムなどの軟質の材料によって第１蓋３の他の部分とともに一体形成されている。
【００４６】
上記の規制部１６、１７は、図８に示されるように、凹部１４、１５の底面よりも上方の位置で凹部１４、１５の内方に突出しているのが好ましい。これにより、規制部１６、１７が凹部１４、１５に収納された箸５１およびスプーン５２を動きを規制しながら凹部１４、１５の内部に保持する効果を確実に発揮でき、箸５１およびスプーン５２が凹部１４、１５から抜け出したりする不具合をより確実に防止することが可能になる。
【００４７】
本実施形態の位置決め部１１は、凹部１４、１５に連通するように形成され、指を挿入することが可能な挿入空間１８をさらに有する。図１および図５に示される挿入空間１８は、第１蓋３の長手方向に直交する方向（すなわち、第１蓋３の幅方向）に延び、より具体的には、凹部１４、１５を横断するように延びている。この挿入空間１８に指を入れることにより、凹部１４、１５に収納された箸５１およびスプーン５２を容易に取り出すことが可能である。
【００４８】
言い換えれば、第１蓋３の上面３ｂには、凹部１４、凹部１５および挿入空間１８によって１つの大きな凹部が形成されている。この大きな凹部のうち、凹部１４は、箸５１の側面に沿って延びる第１内側面１４ａによって形成された部分であり、凹部１５は、スプーン５２またはフォークの側面に沿って延びる第２内側面１５ａによって形成された部分である。また、指を挿入することが可能な挿入空間１８は、第１内側面１４ａおよび第２内側面１５ａの外側に延びる第３内側面１８ａによって形成された部分である。
【００４９】
第１密着面１２は、第１蓋３の下面３ａの一部を構成する面である。第１密着面１２は、第１蓋３が開口１０を閉じた状態で本体２の開口縁１０ａ（具体的には、上側容器７の開口縁１０ａ）に密着して開口１０を封止する。
【００５０】
本実施形態の第１密着面１２は、図６〜１０に示される環状の取り囲み部１９の内面によって形成されている。環状の取り囲み部１９は、第１蓋３の下面３ａの周縁から下方に延びる周壁３ｃの下端に配置されている（なお、周壁３ｃは省略してもよい）。環状の取り囲み部１９は、下向きに開いた略Ｃ字状断面を有する。環状の取り囲み部１９が本体２（上側容器７）の開口縁１０ａに嵌合した状態では、取り囲み部１９の内面に形成された第１密着面１２は、開口縁１０ａに密着し、これにより、開口１０を封止することが可能である。
【００５１】
なお、本発明の第１密着面１２は、環状の取り囲み部１９の内面によって形成されることに限定されるものではない。取り囲み部１９が無い場合には、第１密着面１２は、第１蓋３の下面３ａの平坦な周縁部分によって形成されてもよい。
【００５２】
第２密着面１３は、第１蓋３の上面３ｂの一部を構成する平面である。本実施形態の第２密着面１３は、取り囲み部１９の上面によって形成されている。なお、取り囲み部１９が無い場合には、第２密着面１３は、第１蓋３の上面３ｂの平坦な周縁部分によって形成されてもよい。
【００５３】
第２密着面１３は、第２蓋４が第１蓋３の上面３ｂの箸５１と、スプーン５２およびフォーク（図示せず）のどちらか１つとをそれぞれ載置するためにあらかじめ設定された２つの載置位置を覆った状態では、第２蓋４（具体的には第２蓋４の周壁４ａの下端）に密着する。これにより、第２密着面１３は両載置位置である２つの凹部１４、１５を封止することが可能である。
【００５４】
図１および図１０〜１１に示されるように、ロック機構８は、本体２と第１蓋３と第２蓋４とを順に重ねた状態で着脱自在に固定する固定部として機能することが可能な構成を有する。
【００５５】
ロック機構８は、具体的には、一対の止め具２０と、本体２（具体的には下側容器５）の長手方向両端において互いに反対方向に突出する一対の係合片２１と、当該一対の止め具２０が揺動自在に取り付けられる第２蓋４の一対の被取付部２２とによって構成されている。一対の被取付部２２は、第２蓋４の周壁４ａから第２蓋４の外方に突出するように設けられたループ状の部分であり、第２蓋４の長手方向両端において互いに反対方向に突出する。
【００５６】
止め具２０は、図１１に示されるように、止め具本体２０ａと、差し込み部２０ｂと、かぎ状部分２０ｃと、止め具本体２０ａと差し込み部２０ｂとを連結する連結板２０ｄとを有する。これら止め具本体２０ａ、差し込み部２０ｂ、かぎ状部分２０ｃ、および連結板２０ｄが合成樹脂によって一体形成されることにより、止め具２０が構成されている。
【００５７】
止め具本体２０ａは、厚い板状の部分である。止め具本体２０ａの下端部には、上記の本体２側の係合片２１と係合可能なかぎ状部分２０ｃが設けられている。かぎ状部分２０ｃは、止め具本体２０ａの下端から本体２へ向かう方向に突出している。
【００５８】
差し込み部２０ｂは、くし歯状をしており、第２蓋４の周壁４ａに設けられたループ状の被取付部２２（図１および図１０参照）に上方から差し込むことにより、第２蓋４に固定することが可能である。
【００５９】
連結板２０ｄは、曲げ変形可能な薄板状の部分である。連結板２０ｄは、差し込み部２０ｂが第２蓋４のループ状の被取付部２２に差し込まれて固定された状態で、連結板２０ｄを揺動中心として、止め具本体２０ａを上下方向に揺動させることが可能である。これにより、止め具本体２０ａを、当該止め具本体２０ａのかぎ状部分２０ｃが本体２の係合片２１に係合した係合状態と、上方に揺動してその係合が解除した状態とを切り換えることが可能である。
【００６０】
このような構成により、ロック機構８は、本体２（具体的には、下側容器５、中蓋６、上側容器７が重ねた状態の本体２）と第１蓋３と第２蓋４とを順に重ねた状態で着脱自在に固定する固定部として機能することが可能になる。
【００６１】
（本実施形態の特徴）
（１）
本実施形態のランチボックス１では、第１蓋３は、位置決め部１１を有している。位置決め部１１は、上面３ｂに形成され、箸５１と、スプーン５２およびフォークのどちらか１つとをそれぞれ載置するためにあらかじめ設定された２つの載置位置に位置決めすることが可能である。
【００６２】
この構成では、箸５１と、スプーン５２およびフォークのどちらか１つとを第１蓋３の上面３ｂの位置決め部１１（具体的には、凹部１４、１５および規制部１６、１７）によってそれぞれ載置するためにあらかじめ設定された２つの載置位置に位置決めすることが可能である。これにより、第１蓋３の上面３ｂにおいて箸５１とスプーン５２またはフォークとの動きをそれぞれ規制することが可能である。
【００６３】
（２）
本実施形態のランチボックス１では、第１蓋３が本体２よりも弾性変形しやすい軟質の材料で製造されている。この構成では、箸５１と、スプーン５２およびフォークのどちらか１つとを、軟らかい第１蓋３に接触した状態で位置決め部１１によって載置位置に位置決めすることが可能であり、箸５１とスプーン５２またはフォークとのそれぞれの動きをより確実に規制することが可能である。
【００６４】
（３）
本実施形態のランチボックス１では、第１蓋３は、第１密着面１２と、第２密着面１３とをさらに有する。第１密着面１２は、第１蓋３の下面３ａの一部を構成し、第１蓋３が開口１０を閉じた状態で本体２の開口縁１０ａに密着して開口１０を封止する。第２密着面１３は、上面３ｂの一部を構成し、第２蓋４が第１蓋３の上面３ｂの両載置位置を覆った状態で第２蓋４に密着して両載置位置（具体的には、凹部１４、１５）を封止する。
【００６５】
かかる構成では、第１蓋３が本体２の開口１０を閉じた状態で第１蓋３の下面３ａ側の第１密着面１２が本体２の開口縁１０ａに密着して開口１０を封止するので、本体２に収納された物に含まれる液体が本体２の外部に漏れることを防止することが可能である。さらに、第２蓋４が第１蓋３の上面３ｂの箸５１とスプーン５２またはフォークとの両載置位置を覆った状態で第１蓋３の上面３ｂ側の第２密着面１３が第２蓋４（具体的には、周壁４ａの下端）に密着して両載置位置を封止するので、位置決め部１１に位置決めされた箸５１およびスプーン５２またはフォークなどに付着した液体が第２蓋４の外部に漏れることを防止することが可能である。その結果、使用後の箸５１およびスプーン５２またはフォークを収納したランチボックス１からの液体の漏れを防止することが可能である。
【００６６】
上記のスプーン５２またはフォークは、箸５１と比較して表面積が大きいので、これらの表面に付着する液体も多く、液漏れの問題もより深刻であるが、本実施形態では、第２密着面１３によってスプーン５２またはフォークの載置位置を封止するので、使用後のスプーン５２またはフォークに付着する液体がランチボックス１外部に漏れることを防止することが可能である。
【００６７】
しかも、本実施形態では、第１蓋３はシリコーンゴムなどの本体２よりも弾性変形しやすい材料で製造されているので、第１密着面１２および第２密着において別途シールパッキンを設ける必要がない。したがって、第１蓋３を容易に製造することが可能である。
【００６８】
また、本実施形態では、図６〜７に示されるように、第１蓋３の第２密着面１３は、上面３ｂよりも周壁３ｃの高さの分だけ下方に位置している。第２密着面１３と上面３ｂとによって形成された段部では、第１蓋３の周壁３ｃと第２蓋４の周壁４ａとが近接または当接して配置されている。したがって、周壁３ｃおよび周壁４ａによって、液体の上面３ｂから第２密着面１３へ流れを抑制することが可能である。
【００６９】
（４）
本実施形態のランチボックス１では、位置決め部１１は、箸５１と、スプーン５２およびフォークのどちらか１つとをそれぞれ個別に収納することが可能な大きさを有する凹部１４、１５と、当該凹部１４に収納された箸５１と、スプーン５２またはフォークとに当接して凹部１５の内部における動きを規制する規制部１６、１７とを有する。
【００７０】
かかる構成により、箸５１およびスプーン５２またはフォークが位置決め部１１の凹部１４、１５に個別に収納された状態では、規制部１６、１７が箸５１およびスプーン５２またはフォークに当接して凹部１４、１５の内部における動きを確実に規制することが可能である。
【００７１】
（５）
本実施形態のランチボックス１では、位置決め部１１は、凹部１４、１５に連通するように形成され、指を挿入することが可能な挿入空間１８をさらに有する。かかる構成により、凹部１４、１５に連通するように形成された挿入空間１８に指を挿入することにより、凹部１４、１５に収納された箸５１およびスプーン５２またはフォークを凹部１５から容易に取り出すことが可能である。
【００７２】
（６）
本実施形態のランチボックス１では、凹部１５は、平坦な底面１５ａを有し、スプーン５２またはフォークを湾曲部の凸面を上側に向けた状態で収納可能な形状を有する。かかる構成により、スプーン５２やフォークを凹部１５に湾曲部の凸面を上側に向けた状態で収納することが可能であり、スプーン５２やフォークのぐらつきを小さくすることが可能である。その結果、凹部１５の内部におけるスプーン５２やフォークの動きをより確実に規制することが可能である。また、第１壁の下面３ａを平たく形成することが可能であり、第１壁の製造や洗浄が容易である。
【００７３】
しかも、凹部１５を浅くしても（すなわち、図６および図８に示されるようにスプーン５２のすくう部分の一部が凹部１５からはみだす程度の凹部１５の深さであっても）、スプーン５２やフォークの縁を凹部１５の内壁との接触によりスプーン５２やフォークの動きを規制することが可能である。
【００７４】
（７）
本実施形態のランチボックス１では、本体２は、上下方向に重ねることが可能な上側容器７と下側容器５とを有する。このような構成では、ごはんとおかずなど本体２に収容される複数種類の食物を上側容器７と下側容器５に分けて個別位置決めすることが可能である。
【００７５】
（８）
本実施形態のランチボックス１では、本体２と第１蓋３と第２蓋４とを順に重ねた状態で着脱自在に固定する固定部としてロック機構８を備えている。このロック機構８によって、本体２と第１蓋３と第２蓋４とを順に重ねた状態で着脱自在に固定することが可能であり、ランチボックス１を運搬するときに本体２と第１蓋３と第２蓋４とが互いにずれたり分離したりして本体２または位置決め部１１からの液体の漏れをより確実に防止することが可能である。
【００７６】
（変形例）
（Ａ）
なお、規制部１６、１７は、上記の実施形態のように凹部１５の内壁から内側へ突出する突起でもよいし、凹部１５の一部または全体を狭くして箸５１などを圧入することを可能にした凹部１５の内壁であってもよい。
【００７７】
すなわち、凹部１４、１５を箸５１およびスプーン５２の外形形状よりも若干小さくなるように形成しておき、箸５１およびスプーン５２が軟質材料からなる第１壁３の弾性力に抗しながら凹部１４、１５に圧入するようにしてもよい。これにより、凹部１４、１５の内壁の一部または全部が箸５１およびスプーン５２の動きを規制する規制部として機能することが可能である。
【００７８】
（Ｂ）
上記の実施形態のランチボックス１では、位置決め部１１の一例として、凹部１５と規制部１６、１７とを有する位置決め部１１を例に挙げて説明しているが、本発明はこれに限定されるものではなく、本発明では、箸５１と、スプーン５２およびフォークのどちらか１つとをそれぞれ載置するためにあらかじめ設定された載置位置に位置決めすることが可能な構成であれば、他の位置決め部を採用してもよい。本発明の変形例として、例えば、位置決め部１１は、第１壁の上面３ｂから突出した複数の立壁を有している構成であってもよい。この場合、立壁は、箸５１の両側面と、スプーン５２またはフォークの両側縁とにそれぞれ当接する位置（例えば、図５に示される規制部１６、１７の位置）に配置されているようにすればよい。
【００７９】
このような構成をすることにより、複数の立壁が、箸５１の両側面と、スプーン５２またはフォークの両側縁とにそれぞれ当接することにより、箸５１とスプーン５２またはフォークとの動きをそれぞれ規制することが可能である。また、この構成では、凹部１５を有する位置決め部１１の構成に比べて第１壁の上面３ｂに立壁を形成するだけでよいので、設計および製造が容易である。
【００８０】
（Ｃ）
上記実施形態では、ランチボックスの本体の一例として、下側容器５および上側容器７が上下方向に重ねられた本体２を例に挙げて説明したが、本発明はこれに限定されるものではない。本発明では、ランチボックスの本体は、ごはんやおかずなどの食物が収納される容器が１段で構成されてもよいし、または３段以上の多段の容器で構成されてもよい。
【符号の説明】
【００８１】
１  ランチボックス
２  本体
３  第１蓋
３ａ  下面
３ｂ  上面
４  第２蓋
５  下側容器
７  上側容器
８  ロック機構（固定部）
１０  開口
１０ａ  開口縁
１１  位置決め部
１２  第１密着面
１３  第２密着面
１４  凹部（箸用）
１５  凹部（スプーン用）
１６  規制部（箸用）
１７  規制部（スプーン用）
１８  挿入空間
５１  箸
５２  スプーン
【図１】
2020054724.tif 000003
【図２】
2020054724.tif 000004
【図３】
2020054724.tif 000005
【図４】
2020054724.tif 000006
【図５】
2020054724.tif 000007
【図６】
2020054724.tif 000008
【図７】
2020054724.tif 000009
【図８】
2020054724.tif 000010
【図９】
2020054724.tif 000011
【図１０】
2020054724.tif 000012
【図１１】
2020054724.tif 000013